(57)【要約】【課題】ＨＳＵＰＡによるデータ伝送が他の通信に対する干渉となることを防ぐための制御を行う基地局制御装置を得ること。【解決手段】本発明にかかる基地局制御装置は、移動局および基地局とともに無線通信システムを構成し、基地局と移動局との間のデータ伝送を制御する基地局制御装置（３）であって、たとえば、品質信号判定部（３１）が、特定の基地局とデータ伝送中の移動局が測定する、通信可能な他の基地局との間の電波の受信品質を受信し、この受信品質に基づいて、ＨＳＵＰＡによるデータ伝送とＤＰＣＨによるデータ伝送とを切り替える制御を行う。【選択図】        図１
2006345401.tif 000002
【特許請求の範囲】
【請求項１】
移動局および基地局とともに無線通信システムを構成し、基地局と移動局との間のデータ伝送を制御する基地局制御装置において、
特定の基地局とデータ伝送中の移動局が測定する、通信可能な他の基地局との間の電波の受信品質を受信する受信手段と、
前記受信品質に基づいて、ＨＳＵＰＡ（High  Speed  Uplink  Packet  Access）によるデータ伝送とＤＰＣＨ（Dedicated  Physical  CHannel）によるデータ伝送とを切り替える制御を行う制御手段と、
を備えることを特徴とする基地局制御装置。
【請求項２】
前記制御手段は、前記移動局が前記特定の基地局とＨＳＵＰＡによるデータ伝送を行い、かつ前記受信品質が所定のしきい値以上の場合に、他の基地局に対する干渉の影響が大きいと判断し、ＨＳＵＰＡによるデータ伝送をＤＰＣＨによるデータ伝送に切り替える制御を行うことを特徴とする請求項１に記載の基地局制御装置。
【請求項３】
前記制御手段は、前記移動局が前記特定の基地局とＤＰＣＨによるデータ伝送を行い、かつ前記受信品質が所定のしきい値未満の場合に、他の基地局に対する干渉の影響が小さいと判断し、ＤＰＣＨによるデータ伝送をＨＳＵＰＡによるデータ伝送に切り替える制御を行うことを特徴とする請求項１または２に記載の基地局制御装置。
【請求項４】
前記制御手段は、ＨＳＵＰＡによるデータ伝送を行っている移動局がハンドオーバを実行することにより通信品質の向上が見込めると判断した場合、ハンドオーバ元の基地局およびハンドオーバ先の基地局に対してソフトハンドオーバを実行するように指示し、さらに、ＨＳＵＰＡによるデータ伝送をＤＰＣＨによるデータ伝送に切り替える制御を行うことを特徴とする請求項１、２または３に記載の基地局制御装置。
【請求項５】
前記制御手段は、ソフトハンドオーバ完了後、ＤＰＣＨによるデータ伝送をＨＳＵＰＡによるデータ伝送に切り替える制御を行うことを特徴とする請求項４に記載の基地局制御装置。
【請求項６】
移動局、基地局および基地局制御装置を含む無線通信システムにおいて、基地局制御装置が基地局と移動局との間のデータ伝送を制御する場合の通信制御方法であって、
特定の基地局とデータ伝送を行っている移動局が、通信可能な他の基地局から送られてくる電波の受信品質を測定し、その測定結果を、前記特定の基地局を介して基地局制御装置に対して送信する受信品質測定ステップと、
前記基地局制御装置が、前記受信品質に基づいて、ＨＳＵＰＡ（High  Speed  Uplink  Packet  Access）によるデータ伝送とＤＰＣＨ（Dedicated  Physical  CHannel）によるデータ伝送とを切り替える制御を行う切り替え制御ステップと、
前記データ伝送中の移動局および基地局が、前記基地局制御装置の指示により伝送方式を切り替える切り替えステップと、
を含むことを特徴とする通信制御方法。
【請求項７】
前記切り替え制御ステップでは、前記移動局が前記特定の基地局とＨＳＵＰＡによるデータ伝送を行い、かつ前記受信品質が所定のしきい値以上の場合、他の基地局に対する干渉の影響が大きいと判断し、ＨＳＵＰＡによるデータ伝送をＤＰＣＨによるデータ伝送に切り替える制御を行うことを特徴とする請求項６に記載の通信制御方法。
【請求項８】
前記切り替え制御ステップでは、前記移動局が前記特定の基地局とＤＰＣＨによるデータ伝送を行い、かつ前記受信品質が所定のしきい値未満の場合、他の基地局に対する干渉の影響が小さいと判断し、ＤＰＣＨによるデータ伝送をＨＳＵＰＡによるデータ伝送に切り替える制御を行うことを特徴とする請求項６または７に記載の通信制御方法。
【請求項９】
ＨＳＵＰＡによるデータ伝送を行っている移動局がハンドオーバを実行することにより通信品質の向上が見込めると判断した場合に、ハンドオーバ元の基地局およびハンドオーバ先の基地局に対してソフトハンドオーバを実行するように指示し、さらに、ＨＳＵＰＡによるデータ伝送をＤＰＣＨによるデータ伝送に切り替える制御を行うハンドオーバ制御ステップ、
を含むことを特徴とする請求項６、７または８に記載の通信制御方法。
【請求項１０】
前記ハンドオーバ制御ステップでは、ソフトハンドオーバ完了後、ＤＰＣＨによるデータ伝送をＨＳＵＰＡによるデータ伝送に切り替える制御を行うことを特徴とする請求項９に記載の通信制御方法。
【発明の詳細な説明】
【技術分野】
【０００１】
本発明は、移動局および基地局とともに無線通信システムを構成する基地局制御装置に関するものであり、特に、ＨＳＵＰＡ（High  Speed  Uplink  Packet  Access）によるデータ伝送を制御する基地局制御装置および通信制御方法に関するものである。
【背景技術】
【０００２】
ＨＳＵＰＡは、パケット通信を利用した上り方向の高速データ伝送方法であり、現在３ＧＰＰ（The  3rd  Generation  Partnership  Project）において規格の標準化が進められている。また、ＨＳＵＰＡは、下り方向の高速パケット通信の規格であるＨＳＤＰＡ（High  Speed  Downlink  Packet  Access）の送信方向が異なるもの（ＨＳＤＰＡを上り方向に適用したもの）と考えることができ、ＨＳＤＰＡによるデータ伝送の場合と同様に基地局がスケジューリング、変調方式などの制御を行う。
【０００３】
ここで、ＨＳＤＰＡによるデータ伝送について説明する。ＨＳＤＰＡでは、伝搬路の状況に応じて変調方式、符号化率を変更してデータ伝送を行う適応変調方式が使われている。具体的には、移動局から報告を受けた下りチャネルの受信品質に基づいて基地局が変調方式、符号化率などを決定し、ここで決定した結果を移動局に指示する。そして、基地局は、移動局に対して、上記変調方式、符号化率などを使用してデータ伝送を行う。なお、ＨＳＤＰＡによるデータ伝送とＤＰＣＨ（Dedicated  Physical  CHannel）によるデータ伝送とを切り替えるデータ伝送制御方法が下記特許文献１に記載されており、具体的には、移動局から報告を受けた受信信号（下りチャネル）の受信品質が所定のしきい値より低い場合に、基地局が、ＨＳＤＰＡによるデータ伝送からＤＰＣＨによるデータ伝送への切り替え処理を行っている。
【０００４】
【特許文献１】特開２００４−３２８５２１号公報
【発明の開示】
【発明が解決しようとする課題】
【０００５】
しかしながら、上記従来技術である下りチャネルの受信品質に基づいて伝送方法を切り替える制御を、ＨＳＵＰＡによるデータ伝送とＤＰＣＨによるデータ伝送とを切り替える制御に適用した場合、ＨＳＵＰＡによるデータ伝送を行っている基地局は、自局以外の他の基地局に与える影響（ＨＳＵＰＡ送信による通信対象以外の基地局への干渉量）を認識できない。そのため、ＨＳＵＰＡによるデータ伝送により、他の通信に対する干渉が大きくなる可能性がある、という問題があった。また、ＨＳＵＰＡの場合もＨＳＤＰＡの場合と同様に基地局がスケジューリングを行うため、たとえば、ＨＳＵＰＡによるデータ伝送中にソフトハンドオーバを行う場合には、スケジューリングを行う基地局を調停する必要があり処理が複雑になる、という問題があった。
【０００６】
本発明は、上記に鑑みてなされたものであって、ＨＳＵＰＡによるデータ伝送が他の通信に対する干渉となることを防ぐことが可能な基地局制御装置を得ることを目的とする。
【０００７】
また、本発明は、ＨＳＵＰＡによるデータ伝送中にソフトハンドオーバを行う場合の処理を単純にする基地局制御装置を得ることを目的とする。
【課題を解決するための手段】
【０００８】
上述した課題を解決し、目的を達成するために、本発明にかかる基地局制御装置は、移動局および基地局とともに無線通信システムを構成し、基地局と移動局との間のデータ伝送を制御する基地局制御装置であって、特定の基地局とデータ伝送中の移動局が測定する、通信可能な他の基地局との間の電波の受信品質を受信する受信手段と、前記受信品質に基づいて、ＨＳＵＰＡによるデータ伝送とＤＰＣＨによるデータ伝送とを切り替える制御を行う制御手段と、を備えることを特徴とする。
【発明の効果】
【０００９】
この発明によれば、たとえば、ＨＳＵＰＡによるデータ伝送が他の基地局の通信を妨害すると判断した場合、ＤＰＣＨによるデータ伝送に切り替えることとした。これにより、データ伝送による他の基地局への干渉量を抑えることができる、という効果を奏する。
【発明を実施するための最良の形態】
【００１０】
以下に、本発明にかかる基地局制御装置を備える無線通信システムおよび通信制御方法の実施の形態を図面に基づいて詳細に説明する。なお、この実施の形態によりこの発明が限定されるものではない。
【００１１】
実施の形態１．
図１は、本発明にかかる基地局制御装置を備える無線通信システムの構成例を示す図である。この無線通信システムは、たとえば、移動局１と基地局２と基地局制御装置３により構成されている。また、移動局１は、基地局２から送信されるパイロットシンボルに基づいて下りチャネルの受信品質を測定する受信品質測定部１１と、受信品質測定部１１により測定された受信品質を示す品質信号を基地局制御装置３宛てに送信する品質信号送信部１２と、を備えている。また、基地局２は、パイロットシンボルを送信するパイロット送信部２１と、ＨＳＵＰＡにより伝送される上り方向のデータを受信するＨＳＵＰＡ伝送部２２と、ＤＰＣＨにより伝送される上り方向のデータを受信するＤＰＣＨ伝送部２３と、基地局制御装置３からの指示に従い上記パイロット送信部２１，ＨＳＵＰＡ伝送部２２，ＰＣＨ伝送部２３を制御する制御部２４と、を備えている。また、基地局制御装置３は、上記品質信号に基づいてＨＳＵＰＡによるデータ伝送とＤＰＣＨによるデータ伝送とのどちらを実行するかの判断処理およびソフトハンドオーバを行うか否かの判断処理を行い、基地局２の制御部２４に対して当該判断結果を通知する品質信号判定部３１を備えている。
【００１２】
つづいて、図面にしたがってデータ伝送の制御動作を説明する。図２は、本実施の形態のネットワーク構成例を示す図であり、移動局１、基地局２ａおよび２ｂ、基地局制御装置３により構成される。また、２０ａ、２０ｂは、それぞれ基地局２ａ、２ｂの送受信範囲であるセルを示す。なお、基地局２ａおよび２ｂの内部構成は、上述した基地局２の内部構成と同一である。
【００１３】
たとえば、移動局１が基地局２ａとＨＳＵＰＡによるデータ伝送を行い、かつ、セル２０ａと２０ｂのオーバラップする領域に存在している場合、移動局１の受信品質測定部１１は、ＨＳＵＰＡによるデータ伝送を行っていない基地局２ｂからのパイロットチャネルの受信処理および受信品質の測定処理を行い、品質信号送信部１２が、当該測定結果である品質信号を基地局制御装置３宛てに送信する。
【００１４】
基地局制御装置３の品質信号判定部３１は、移動局１から基地局２ａを介して通知された基地局２ｂのパイロットチャネルの受信品質（以下、受信品質と呼ぶ）が所定のしきい値以上かどうかを判定する。判定の結果、当該受信品質が所定のしきい値以上の場合、品質信号判定部３１は、移動局１と基地局２ａとの間のＨＳＵＰＡによるデータ伝送により、基地局２ｂに対する干渉の影響が大きいと判断し、基地局２ａの制御部２４に対してＨＳＵＰＡによるデータ伝送をＤＰＣＨによるデータ伝送に切り替えるように指示する。
【００１５】
具体的には、基地局制御装置３の品質信号判定部３１から上記切り替え指示を受けた基地局２ａの制御部２４は、ＨＳＵＰＡ伝送部２２に対してデータ伝送を終了するように指示し、当該指示を受けたＨＳＵＰＡ伝送部２２は、ＨＳＵＰＡによるデータ伝送を終了する。その後、基地局２ａの制御部２４は、ＤＰＣＨ伝送部２３に対してデータ伝送を開始するように指示し、当該指示を受けたＤＰＣＨ伝送部２３は、ＤＰＣＨによるデータ伝送を開始する。なお、上記受信品質が所定のしきい値を下回っている場合、品質信号判定部３１は、データ伝送に関する制御処理を行わない（移動局１と基地局２ａのＨＳＵＰＡによるデータ伝送が継続される）。
【００１６】
また、基地局制御装置３の品質信号判定部３１は、移動局１が基地局２ａとＤＰＣＨによるデータ伝送中（１つの基地局との通信中）に、移動局１から基地局２ａを介して通知される基地局２ｂのパイロットチャネルの受信品質が所定のしきい値以上かどうかを判定する。判定の結果、当該受信品質が所定のしきい値未満であると判定した場合、品質信号判定部３１は、基地局２ｂに対する干渉の影響が小さいと判断し、基地局２ａの制御部２４に対してＤＰＣＨによるデータ伝送をＨＳＵＰＡによるデータ伝送に切り替えるように指示する。なお、上記受信品質が所定のしきい値以上の場合、品質信号判定部３１は、データ伝送に関する制御処理を行わない。
【００１７】
なお、基地局制御装置３の品質信号判定部３１は、上記ＤＰＣＨによるデータ伝送をＨＳＵＰＡによるデータ伝送に切り替える判断を行うにあたり、移動局１から基地局制御装置３宛てに送信される「通信中以外の基地局との間の受信品質」および「ＤＰＣＨの受信品質」に基づいて、データ伝送の切り替え指示を出すかどうかを判断することとしてもよい。
【００１８】
以上のデータ伝送方式の切り替え制御の様子を模式化すると図３のように表すことができる。４１は、ＤＰＣＨによるデータ伝送を行っている状態を示し、４２は、ＨＳＵＰＡによるデータ伝送を行っている状態を示す。上述したように、品質信号判定部３１は、特定の基地局がＨＳＵＰＡによるデータ伝送を行っている場合、かつ他の基地局に対する干渉量が大きくなったと判断した場合、ＨＳＵＰＡにて通信中の基地局および移動局に対して、ＤＰＣＨによるデータ伝送に切り替える（４１の状態へ遷移する）ように指示する。
【００１９】
これに対して、特定の基地局がＤＰＣＨによるデータ伝送を行っている場合に、他の基地局に対する干渉量（移動局１ａにおける他の基地局からのパイロットチャネルの受信品質）がしきい値未満の場合、品質信号判定部３１ａは、ＤＰＣＨにて通信中の基地局および移動局に対して、ＨＳＵＰＡによるデータ伝送に切り替える（４２の状態へと遷移する）ように指示する。
【００２０】
このように、本実施の形態においては、ＨＳＵＰＡによるデータ伝送が他の基地局の通信を妨害する（他の基地局への干渉量が大きくなる）と判断した場合、ＤＰＣＨによるデータ伝送に切り替えることとした。これにより、データ伝送を行った場合における他の基地局への干渉量を抑えることができる。
【００２１】
つづいて、上記図１および図２の無線通信システムにおいて、ＨＳＵＰＡによるデータ伝送中にソフトハンドオーバを行う場合の動作について説明する。たとえば、基地局制御装置３の品質信号判定部３１は、移動局１が基地局２ａとＨＳＵＰＡによるデータ伝送中に、移動局１と基地局２ｂとを通信状態にした方が通信品質の向上が見込めると判断した場合、基地局２ａの制御部２４および基地局２ｂの制御部２４に対してソフトハンドオーバを実行するように指示し、さらに、基地局２ａの制御部２４に対してＨＳＵＰＡによるデータ伝送をＤＰＣＨによるデータ伝送に切り替えるよう指示し、基地局２ｂの制御部２４に対してＤＰＣＨによるデータ伝送開始を指示する。
【００２２】
その後、品質信号判定部３１は、上記ソフトハンドオーバが完了し、移動局１と基地局２ｂがＤＰＣＨによるデータ伝送中の状態となった時点で、基地局２ｂの制御部２４に対してＤＰＣＨによるデータ伝送をＨＳＵＰＡによるデータ伝送に切り替えるように指示する。
【００２３】
以上のソフトハンドオーバの様子を、上記図３を用いて説明する。上述したように、品質信号判定部３１は、特定の基地局がＨＳＵＰＡによるデータ伝送を行っている場合、かつ、移動局と他の基地局とを通信中（ソフトハンドオーバ）の状態にした方が通信品質の向上が見込めると判断した場合、ＨＳＵＰＡにて通信中の基地局および移動局に対してＤＰＣＨによるデータ伝送に切り替える（４１の状態へ遷移する）ように指示する。また、品質信号判定部３１は、ソフトハンドオーバ完了後、ＤＰＣＨによるデータ伝送中の移動局とハンドオーバ先の基地局に対してＨＳＵＰＡによるデータ伝送に切り替える（４２の状態へと遷移する）ように指示する。
【００２４】
このように、本実施の形態においては、ＨＳＵＰＡによるデータ伝送中にソフトハンドオーバを行う必要がある場合、ＨＳＵＰＡによるデータ伝送をＤＰＣＨによるデータ伝送に切り替えた後にソフトハンドオーバを行い、さらに、ソフトハンドオーバ完了後、ＤＰＣＨによるデータ伝送をＨＳＵＰＡによるデータ伝送に切り替えることとした。これにより、ＨＳＵＰＡに関するスケジューリングを行う基地局を調停する煩雑さを解消することができ、さらに、ハンドオーバ後も高速なデータ伝送を継続することができる。
【産業上の利用可能性】
【００２５】
以上のように、本発明にかかる基地局制御装置および通信制御方法は、無線通信システムに有用であり、特に、ＨＳＵＰＡによるデータ伝送とＤＰＣＨによるデータ伝送とを切り替えながら通信を行う無線通信システムに適している。
【図面の簡単な説明】
【００２６】
【図１】本発明にかかる基地局制御装置を備える無線通信システムの構成例を示す図である。
【図２】ネットワーク構成例を示す図である。
【図３】データ伝送方式の切り替え制御の様子を示す図である。
【符号の説明】
【００２７】
１  移動局
２，２ａ，２ｂ  基地局
３  基地局制御装置
１１  受信品質測定部
１２  品質信号送信部
２０ａ，２０ｂ  セル
２１  パイロット送信部
２２  ＨＳＵＰＡ伝送部
２３  ＤＰＣＨ伝送部
２４  制御部
３１  品質信号判定部
【図１】
2006345401.tif 000003
【図２】
2006345401.tif 000004
【図３】
2006345401.tif 000005